(57)【要約】【課題】本発明は、映像の解像度に関する設定を、使用者が容易に変更可能な映像表示装置の提供を目的とする。【解決手段】映像表示装置１００は、外部機器（例えばノートＰＣ４）から送信される映像信号の解像度に関する情報の設定を行うユーザーインターフェース処理部１２と、設定された情報に基づいてＥＤＩＤを生成するＥＤＩＤ生成部１３と、生成されたＥＤＩＤを記憶する記憶部（即ちＤＤＣ対応メモリ１１）と、外部機器から送信される映像信号を受信する外部接続用端子（例えばＤＶＩコネクタ１）と、を備え、記憶部に記憶されたＥＤＩＤは、外部接続用端子を通じて外部機器に送信されることを特徴とする。【選択図】図１
2015165617.tif 000002
【特許請求の範囲】
【請求項１】
外部機器から送信される映像信号を表示する映像表示装置であって、
前記外部機器が出力する前記映像信号の出力解像度を規定する情報の設定を行うユーザーインターフェース処理部と、
設定された前記情報に基づいてＥＤＩＤを生成するＥＤＩＤ生成部と、
生成された前記ＥＤＩＤを記憶する記憶部と、
前記外部機器から送信される前記映像信号を受信する外部接続用端子と、
を備え、
前記記憶部に記憶された前記ＥＤＩＤは、前記外部接続用端子を通じて前記外部機器に送信されることを特徴とする、
映像表示装置。
【請求項２】
制御部と、
前記外部接続用端子と前記ＥＤＩＤ生成部のいずれか一方を選択して前記記憶部と接続するスイッチ回路と、
をさらに備え、
前記制御部は、前記記憶部に前記ＥＤＩＤを書き込む際に、前記スイッチ回路に前記ＥＤＩＤ生成部を選択させることを特徴とする、
請求項１に記載の映像表示装置。
【請求項３】
前記ユーザーインターフェース処理部において行われる設定は、
前記映像表示装置のパネル解像度を前記外部機器のパネル解像度よりも優先して前記出力解像度とする設定と、
前記外部機器のパネル解像度を前記映像表示装置のパネル解像度よりも優先して前記出力解像度とする設定と、
特定の解像度のみを前記出力解像度とする設定と、
任意の解像度を前記出力解像度とする設定と、
を含む複数から選択される、
請求項２に記載の映像表示装置。
【請求項４】
前記外部接続用端子は、ホットプラグ検出端子を備え、
前記制御部は、前記記憶部に前記ＥＤＩＤが書き込まれる前に、前記ホットプラグ検出端子に入力される信号をハイからローに切り替え、前記記憶部に前記ＥＤＩＤが書き込まれた後でかつ、前記スイッチ回路が前記外部接続用端子を選択した後に、前記ホットプラグ検出端子に入力される信号をローからハイに切り替える、
請求項２または請求項３に記載の映像表示装置。
【発明の詳細な説明】
【技術分野】
【０００１】
本発明は映像表示装置に関し、特にＤＤＣ（Ｄｉｓｐｌａｙ  Ｄａｔａ  Ｃｈａｎｎｅｌ）に対応した映像表示装置に関する。
【背景技術】
【０００２】
ＰＣ（パーソナルコンピュータ）と映像表示装置を接続した際に、映像表示装置が表示可能な信号をＰＣ側に知らせる手段としてＤＤＣという通信規格がある。ＤＤＣで通信する内容は、ＥＤＩＤ（Ｅｘｔｅｎｄｅｄ  Ｄｉｓｐｌａｙ  Ｉｄｅｎｄｉｆｉｃａｔｉｏｎ  Ｄａｔａ）で定義されている。また、その中で解像度を定義する部分としては、３種類のタイミングデータ、即ち、Ｄｅｔａｉｌｅｄ  Ｔｉｍｉｎｇ、Ｓｔａｎｄａｒｄ  Ｔｉｍｉｎｇ、Ｅｓｔａｂｌｉｓｈｅｄ  Ｔｉｍｉｎｇが存在している。
【０００３】
Ｄｅｔａｉｌｅｄ  Ｔｉｍｉｎｇでは、解像度の情報の他に、ピクセルクロック、ブランキング、フロントポーチ、バックポーチ、同期信号の極性等、信号に関する詳細な情報が定義される。また、Ｓｔａｎｄａｒｄ  Ｔｉｍｉｎｇでは、水平解像度とアスペクト比とリフレッシュレートが定義される。Ｅｓｔａｂｌｉｓｈｅｄ  Ｔｉｍｉｎｇでは、あらかじめ規格で定義されている信号に対しての対応可否が定義される。
【０００４】
さらに、Ｄｅｔａｉｌｅｄ  Ｔｉｍｉｎｇの１番目には、Ｐｒｅｆｅｒｒｅｄ  Ｔｉｍｉｎｇを記載することが可能である。Ｐｒｅｆｅｒｒｅｄ  Ｔｉｍｉｎｇを指定した場合、ノートＰＣは、通常は、このＰｒｅｆｅｒｒｅｄ  Ｔｉｍｉｎｇを第一優先に出力する。
【０００５】
映像表示装置は、上記のＥＤＩＤをＤＤＣ用メモリに格納している。ＰＣと接続する場合には、ＰＣ用のＥＤＩＤを用いる。また、ブルーレイやＤＶＤなどのＣＥ（Ｃｏｎｓｕｍｅｒ  Ｅｌｅｃｔｒｏｎｉｃｓ）機器と接続する場合には、ＣＥ用のＥＤＩＤを用いる。これを実現するために、ハードウェア的に切替える方法（特許文献１）や、ＥＥＰＲＯＭにＰＣ用のＥＤＩＤとＣＥ用のＥＤＩＤを格納しておき、使用者がメニュー画面で選択することにより、ＤＤＣに対応したＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）にＥＤＩＤを書き込む方法（特許文献２）が提案されている。
【先行技術文献】
【特許文献】
【０００６】
【特許文献１】特開２００４−３３３９３２号公報
【特許文献２】特開２００４−１０２０６７号公報
【発明の概要】
【発明が解決しようとする課題】
【０００７】
近年、ノートＰＣ（ノートブック型ＰＣ、ラップトップコンピュータなどとも呼ばれる）の液晶パネルが水平方向に幅広くなってきている。そのため、ノートＰＣの液晶パネルの解像度として多種多様な解像度が存在するようになってきている。また、外部の映像表示装置に映像を出力する場合には、ＰＣ側で映像信号がスケーリングされたり、スケーリングされなかったりして、どのような解像度およびアスペクト比で映像が表示されるのか、使用者にとって非常に分かりにくい場合がある。ここで、スケーリングとは映像信号のアスペクト比（即ち、映像の長辺と短辺の比率）を変更することである。
【０００８】
また、映像表示装置側については、ノートＰＣから入力する映像信号を受け、必要に応じて、入力された信号の解像度を、映像表示装置のパネル解像度に合わせて解像度変換を行ってから表示する仕組みを持っている。
【０００９】
このようの状況下で、エンドユーザーは、ノートＰＣの液晶パネル解像度で映像を出力したい場合や映像表示装置のネイティブな解像度で表示したい場合が存在する。ところが、映像表示装置のＤＤＣ用メモリに記載されているＥＤＩＤや、ＰＣのＥＤＩＤの解釈によっては、出力できる解像度が限定される場合、ＰＣ側であらかじめスケーリングされてしまい、映像信号のアスペクト比が崩れた解像度で出力される場合などがある。
【００１０】
さらに、使用者には、システムの管理の簡易化の為に、映像表示装置に入力するＰＣの出力解像度を固定したいという要求もある。
【００１１】
先の特許文献１、２で示した方法では、予め設定されている複数のＥＤＩＤを切り替えることしかできない為、上記の問題には対応できない。また、外部から映像表示装置のＥＤＩＤを書き換える方法もあるが、ＥＤＩＤを書き換える為の治具（機器）が必要であり、かつ、ＥＤＩＤを編集するには、ＥＤＩＤの知識が必要となり容易に対応することはできない。
【００１２】
本発明は以上のような課題を解決するためになされたものであり、映像の解像度に関する設定を使用者が容易に変更可能な映像表示装置の提供を目的とする。
【課題を解決するための手段】
【００１３】
本発明に係る映像表示装置は、外部機器から送信される映像信号を表示する映像表示装置であって、外部機器が出力する映像信号の出力解像度を規定する情報の設定を行うユーザーインターフェース処理部と、設定された情報に基づいてＥＤＩＤを生成するＥＤＩＤ生成部と、生成されたＥＤＩＤを記憶する記憶部と、外部機器から送信される映像信号を受信する外部接続用端子と、を備え、記憶部に記憶されたＥＤＩＤは、外部接続用端子を通じて外部機器に送信されることを特徴とする。
【発明の効果】
【００１４】
本発明に係る映像表示装置によれば、使用者はユーザーインターフェース処理部を介してＥＤＩＤに関する情報を設定可能である。そして、設定された情報に基づいて、ＥＤＩＤ生成部においてＥＤＩＤが生成される。つまり、複数のＥＤＩＤを切り替えてＥＤＩＤを設定する構成と比較して、本発明ではＥＤＩＤの設定の自由度が向上する。よって、使用者は所望の解像度および所望のアスペクト比の映像を映像表示装置に、より確実に表示することが可能となり利便性が向上する。また、本発明に係る映像表示装置によれば、使用者がＥＤＩＤを直接編集するのではなく、ユーザーインターフェース処理部において設定された情報に基づいて、ＥＤＩＤ生成部がＥＤＩＤを生成する。よって、使用者は、専門の知識が無くても容易にＥＤＩＤを変更することが可能である。
【図面の簡単な説明】
【００１５】
【図１】実施の形態１に係る映像表示装置の主要な機能を示すブロック図である。
【図２】実施の形態１に係る映像表示装置とノートＰＣの接続を示す図である。
【図３】実施の形態１に係る映像表示装置が表示する設定画面を示す図である。
【図４】実施の形態１に係る解像度を示す図である。
【図５】実施の形態２に係る映像表示装置の主要な機能を示すブロック図である。
【図６】前提技術に係る映像表示装置の主要な機能を示すブロック図である。
【図７】前提技術に係る解像度を示す図である。
【発明を実施するための形態】
【００１６】
＜前提技術＞
＜構成＞
本発明の実施の形態を説明する前に、本発明の前提となる技術について説明する。図６は、本前提技術における映像表示装置５０の主要な機能を示すブロック図である。映像表示装置５０は、ＤＶＩコネクタ１と、スイッチ回路１０と、ＤＤＣ対応メモリ１１と、ＣＰＵ１４と、ＥＥＰＲＯＭ１６とを備える。
【００１７】
ＤＶＩコネクタ１は、例えばノートＰＣとＤＶＩケーブルにより接続される。スイッチ回路１０は、ＤＶＩコネクタ１とＣＰＵ１４いずれか一方を選択してＤＤＣ対応メモリ１１と接続する。ＣＰＵ１４は、スイッチ回路１０の切り替え、ＥＥＰＲＯＭ１６のデータのＤＤＣ対応メモリ１１への書き込みなどの動作を制御する。
【００１８】
ＥＥＰＲＯＭ１６には、ＲＧＢ用ＥＤＩＤ、ＤＴＶ用ＥＤＩＤなどのＥＤＩＤが予め記憶されている。ここで、ＲＧＢ用ＥＤＩＤとは、ＲＧＢ信号用のＥＤＩＤであり、ＤＴＶ用のＥＤＩＤとは、ＤＴＶ信号用のＥＤＩＤである。ＲＧＢ用ＥＤＩＤ、ＤＴＶ用ＥＤＩＤのそれぞれには、最適な解像度に関するデータが記載されている。
【００１９】
＜動作＞
使用者は、映像表示装置５０が表示するメニュー画面において、映像表示装置５０に接続する機器（ノートＰＣ、ＣＥ機器など）の種類を選択する。すると、接続機器の種類に関連付けられている、ＥＥＰＲＯＭ１６に記憶されているＥＤＩＤが選択される。すると、ＣＰＵ１４は、スイッチ回路１０をＤＶＩコネクタ１からＣＰＵ１４に切り替える。そして、ＣＰＵ１４は、選択されたＥＤＩＤをＤＤＣ対応メモリに書き込む。その後、ＣＰＵ１４は、スイッチ回路１０をＣＰＵ１４からＤＶＩコネクタ１に切り替える。
【００２０】
図７を用いて、例えば、映像表示装置５０にノートＰＣが接続された場合について説明する。ここで、映像表示装置５０のパネル解像度を１９２０×１２００とする。ノートＰＣのパネル解像度を１３６６×７６８とする。
【００２１】
ＲＧＢ用ＥＤＩＤのＰｒｅｆｅｒｒｅｄ  Ｔｉｍｉｎｇには１９２０×１２００の解像度が記載されているとする。すると、ノートＰＣはＥＤＩＤに基づいて、解像度１３６６×７６８の映像信号（アスペクト比１６：９）を１９２０×１２００の映像信号（アスペクト比１６：１０）にスケール変換してから、映像表示装置５０に出力する（図７（ｂ））。映像表示装置５０は入力された１９２０×１２００の映像信号を、そのまま出力する（図７（ｃ））。
【００２２】
この場合、映像信号のアスペクト比が１６：９から１６：１０変更されるため、映像が縦方向に伸びてしまう。そのため、元の映像と映像表示装置５０に表示される映像とが異なってしまう。この問題を解決するためには、例えば、ＲＧＢ用ＥＤＩＤのＰｒｅｆｅｒｒｅｄ  Ｔｉｍｉｎｇに記載されている解像度（１９２０×１２００）がノートＰＣのパネル解像度（１３６６×７６８）に一致するように、ＲＧＢ用ＥＤＩＤを書き換えればよい。
【００２３】
しかし、ＥＤＩＤを書き換えるには、専用の治具（機器）が必要である。さらに、ＥＤＩＤを編集するには、ＥＤＩＤの知識が必要となり容易に対応することはできなかった。
【００２４】
＜実施の形態１＞
＜構成＞
図１は、本実施の形態１における映像表示装置１００の主要な機能を示すブロック図である。また、図２は、映像表示装置１００とノートＰＣとの接続を示す図である。
【００２５】
映像表示装置１００は、ユーザーインターフェース処理部１２（以下、ＵＩ処理部１２と記載）と、ＥＤＩＤ生成部１３と、記憶部としてのＤＤＣ対応メモリ１１と、外部接続用端子としてのＤＶＩコネクタ１とを備える。
【００２６】
ＵＩ処理部１２は、映像表示装置１００が表示する映像の表示解像度に関する情報の設定を行う。ＥＤＩＤ生成部１３は、ＵＩ処理部１２において設定された情報に基づいて、ＥＤＩＤを生成する。ＤＤＣ対応メモリ１１は、ＥＤＩＤ生成部１３にて生成されたＥＤＩＤを記憶する。ＤＤＣ対応メモリ１１とは、例えばＥＥＰＲＯＭである。
【００２７】
また、映像表示装置１００は、制御部としてのＣＰＵ１４と、スイッチ回路１０とをさらに備える。
【００２８】
スイッチ回路１０は、外部接続用端子（即ちＤＶＩコネクタ１）とＥＤＩＤ生成部１３のいずれか一方を選択して記憶部（即ちＤＤＣ対応メモリ１１）と接続する。ＣＰＵ１４は、記憶部（即ちＤＤＣ対応メモリ１１）にデータを書き込む際に、スイッチ回路１０にＥＤＩＤ生成部１３を選択させる。
【００２９】
図２に示すように、外部機器（例えばノートＰＣ４）と映像表示装置１００のＤＶＩコネクタ１とは、ＤＶＩケーブル３を介して接続される。映像表示装置１００の記憶部（即ちＤＤＣ対応メモリ１１）に記憶されたデータは、外部接続用端子（即ちＤＶＩコネクタ１）を通じて外部機器（例えばノートＰＣ４）に送信される。
【００３０】
映像表示装置１００は、映像のデジタル伝送規格の一つであるＤＶＩ（Ｄｉｇｉｔａｌ      Ｖｉｓｕａｌ  Ｉｎｔｅｒｆａｃｅ）に対応しておりＤＶＩコネクタ１を搭載している。ノートＰＣ４もＤＶＩに対応している。ＤＶＩは、その伝送信号の中にＤＤＣ信号を含んでおり、映像表示装置１００が対応できる解像度情報を取得するために、ノートＰＣ４はＤＤＣ信号を使用して、映像表示装置１００のＥＤＩＤを読み込むことを行う。ノートＰＣ４は、このＥＤＩＤに基づいて、映像表示装置１００に映像を出力する際の出力解像度を決定する。
【００３１】
なお、スイッチ回路１０がＤＶＩコネクタ１を選択する際、実際にはスイッチ回路１０はＤＶＩコネクタ１に備わるＤＤＣ用端子１ａを選択する。また、ＤＶＩコネクタ１において、映像信号を受信するための端子は図示を省略する。
【００３２】
なお、図１において、映像を表示するための機構の記載は省略する。ここで映像を表示するための機構とは、映像表示装置１００がプロジェクタである場合は、光源、光変調器、投射光学系などである。
【００３３】
なお、ＥＤＩＤ生成部１３の行う処理は、ＣＰＵ１４内で行っても良い。また、本実施の形態１では、外部接続用端子をＤＶＩコネクタ１としているが、外部接続用端子は、ＤＤＣに対応したアナログ端子、ＨＤＭＩ（登録商標）端子などであってもよい。
【００３４】
＜動作＞
まず、ＵＩ処理部１２の動作を説明する。図３は、映像表示装置１００が表示する設定画面を示す図である。ＵＩ処理部１２は、図３に示す設定画面を図示しない表示部に表示させる。使用者は、リモコン等を操作することによって、設定画面に表示される第１から第４の設定のうちから所望の設定を選択する。
【００３５】
第１の設定は、映像表示装置１００のパネル解像度を外部機器（例えばノートＰＣ４）のパネル解像度よりも優先して出力解像度とする設定である。第１の設定は図３の「プロジェクタパネル解像度優先」設定に対応する。プロジェクタ解像度優先の設定は、ＥＤＩＤのＤｅｔａｉｌｅｄ  Ｔｉｍｉｎｇに映像表示装置１００の解像度を記載する設定である。Ｄｅｔａｉｌｅｄ  Ｔｉｍｉｎｇには、映像表示装置１００側で対応可能な複数の解像度を可能な限り記載する。「プロジェクタパネル解像度優先」の設定は、一般的に映像表示装置１００のＥＤＩＤの設定としてデフォルト設定されている。また、使用者が各自所有している様々なパネル解像度のノートＰＣ４が映像表示装置１００に接続された場合に、その解像度が選択できないということが極力起きないように設定されている。
【００３６】
第２の設定は、外部機器（例えばノートＰＣ４）のパネル解像度を映像表示装置１００のパネル解像度よりも優先して出力解像度とする設定である。第２の設定は図３の「ノートＰＣパネル解像度優先」設定に対応する。ノートＰＣ解像度優先の設定においては、先に述べた「プロジェクタパネル解像度優先」で設定されるＥＤＩＤを元に、Ｄｅｔａｉｌｅｄ  Ｔｉｍｉｎｇの中のＰｒｅｆｅｒｒｅｄ  Ｔｉｍｉｎｇを、使用者が設定した水平、垂直の解像度に変更する設定である。つまり、使用者はリモコン等を操作することによって、水平、垂直の解像度の値を入力する。又は、使用者はリモコン等を操作して、設定画面に提示される選択肢の中から水平、垂直の解像度を選択する。Ｄｅｔａｉｌｅｄ  Ｔｉｍｉｎｇは、水平、垂直の解像度以外にも詳細な設定が可能であるが、使用者がその詳細な設定を行うのは困難である。よって、使用者は水平、垂直の解像度のみを指定して、その他の詳細な設定は、各解像度に応じて自動的に設定されるようにしてもよい。この場合、各解像度に対応した詳細な設定を映像表示装置１００に予め記憶しておく。また、指定された解像度に応じて、ＤＶＴ（Ｄｉｓｃｒｅｔｅ  Ｖｉｄｅｏ  Ｔｉｍｉｎｇｓ）やＣＶＴ（Ｃｏｏｒｄｉｎａｔｅｄ  Ｖｉｄｅｏ  Ｔｉｍｉｎｇｓ）の規格等に基づき、数式を用いて詳細な設定を行ってもよい。
【００３７】
ノートＰＣパネル解像度優先の設定は、例えば、映像表示装置１００で表示される映像の画質よりも、ノートＰＣ４で表示される映像の画質を優先する場合に選択される。
【００３８】
第３の設定は、特定の解像度のみを出力解像度とする設定である。第３の設定は、図３の「解像度固定」設定に対応する。「解像度固定」設定においては、使用者は所望の解像度（例えば１３６６×７６８）を設定する。つまり、使用者はリモコン等を操作することによって、水平、垂直の解像度の値を入力する。又は、使用者はリモコン等を操作して、設定画面に提示される選択肢の中から水平、垂直の解像度を選択する。解像度固定の設定は、特定の解像度（つまり使用者が設定した任意の解像度）以外の映像信号の入力を全て無効とする設定である。つまり、解像度固定の設定においては、ＥＤＩＤに記載するタイミングデータは、Ｄｅｔａｉｌｅｄ  Ｔｉｍｉｎｇの中のＰｒｅｆｅｒｅｄ  Ｔｉｍｉｎｇ１つのみである。ノートＰＣ４は、映像表示装置１００が対応する解像度がこの１つのみであると認識し、特定の解像度の映像信号を出力する。
【００３９】
解像度固定の設定を選択すると、様々なパネル解像度のノートＰＣ４が映像表示装置１００に接続されるような使用環境が想定される場合においても、パネル解像度に関わらず、ノートＰＣ４は常に特定の解像度の映像信号を出力する。つまり、映像表示装置１００には、特定の解像度の映像信号が入力される。この設定により、システム管理者の負荷を軽減することが可能である。
【００４０】
第４の設定は、任意の解像度を出力解像度とする設定である。第４の設定は、図３の「カスタム」設定に対応する。一般に、外部機器（例えばノートＰＣ４）によってＥＤＩＤの解釈が若干異なる場合がある。このような場合、ノートＰＣ４がＥＤＩＤに記載された解像度の映像信号を出力する能力があるにもかかわらず、使用者が設定したい解像度が設定画面（図３）に表示されず、選択できないことがある。このような場合に、カスタム設定を選択する。カスタム設定では、ＥＤＩＤのＤｅｔａｉｌｅｄ  Ｔｉｍｉｎｇ、Ｓｔａｎｄａｒｄ  Ｔｉｍｉｎｇ、Ｅｓｔａｂｌｉｓｈｅｄ  Ｔｉｍｉｎｇの設定を変更することが可能である。
【００４１】
カスタム設定においては、Ｄｅｔａｉｌｅｄ  Ｔｉｍｉｎｇと、Ｓｔａｎｄａｒｄ  Ｔｉｍｉｎｇで設定される水平、垂直の解像度については、使用者が変更可能とする。つまり、使用者は、図３の「カスタム」設定の項目１から６の解像度を書き換えることが可能である。また、Ｅｓｔａｂｌｅｓｈｅｄ  ＴｉｍｉｎｇでフラグのＯＮ／ＯＦＦを選択できるようにする。Ｅｓｔａｂｌｉｓｈｅｄ  Ｔｉｍｉｎｇについては、予め映像表示装置１００が対応可能な信号のみを表示するか、非対応の信号は表示をグレーアウトする。
【００４２】
次に、ＤＤＣ対応メモリ１１へのデータ書き込みに伴う動作について説明する。ＵＩ処理部１２において、第１から第４の設定のいずれかの設定が選択されると、ＣＰＵ１４は、ＵＩ処理部１２の設定に基づいて、ＥＤＩＤ生成部１３にＥＤＩＤを生成させる。
【００４３】
次に、ＣＰＵ１４はスイッチ回路１０を制御して、スイッチ回路１０にＥＤＩＤ生成部１３を選択させる。つまり、ＤＤＣ対応メモリ１１はＤＶＩコネクタ１から切り離され、ＥＤＩＤ生成部１３と接続された状態となる。この状態において、ＤＤＣ対応メモリ１１にＥＤＩＤ生成部１３において生成されたデータが書き込まれる。その後、ＣＰＵ１４はスイッチ回路１０を制御して、スイッチ回路１０にＤＶＩコネクタ１を選択させる。つまり、ＤＤＣ対応メモリ１１はＥＤＩＤ生成部１３から切り離され、ＤＶＩコネクタ１と接続された状態となる。
【００４４】
すると、ＤＶＩケーブル３を介して映像表示装置１００のＤＶＩコネクタ１に接続された外部機器（例えばノートＰＣ４）は、ＤＤＣ対応メモリ１１に書き込まれたＥＤＩＤを読み込む。そして、ノートＰＣ４は、読み込んだＥＤＩＤに基づいて映像信号の出力解像度を決定し、その解像度の映像信号を、ＤＶＩケーブル３を介して映像表示装置１００に送信する。
【００４５】
以下で具体例を挙げて、映像表示装置１００およびノートＰＣ４の一連の動作を説明する。映像表示装置１００のパネル解像度を１９２０×１２００とする。ノートＰＣ４のパネル解像度を１３６６×７６８とする（図４（ａ））。また、ＤＤＣ対応メモリ１１には予めＥＤＩＤが記憶されており、このＥＤＩＤのＰｒｅｆｅｒｒｅｄ  Ｔｉｍｉｎｇには１９２０×１２００の解像度が記載されているとする。
【００４６】
以上で述べた状態で、ノートＰＣ４を映像表示装置１００に接続すると、ノートＰＣ４はＤＤＣ対応メモリ１１に記憶されているＥＤＩＤを読み込む。そして、ノートＰＣ４は、読み込んだＥＤＩＤに基づいて、１９２０×１２００の出力解像度の映像信号を映像表示装置１００に出力する（図７（ｂ））。このとき、１３６６×７６８の映像信号が１９２０×１２００の映像信号に変換されてから送信されるため（図７（ｃ））、映像信号のアスペクト比が１６：９から１６：１０変更され、映像が縦方向に伸びてしまう。そのため、元の映像と映像表示装置１００に表示される映像とが異なってしまう。
【００４７】
そこで、使用者は、設定画面（図３）を通して、ＵＩ処理部１２において「ノートＰＣパネル解像度優先」の設定を行う。すると、ＣＰＵ１４はスイッチ回路１０を制御して、スイッチ回路１０をＤＤＣ対応メモリ１１に切り替える。それと同時に、ＥＤＩＤ生成部１３は、ＵＩ処理部１２の設定に基づいて、Ｐｒｅｆｅｒｒｅｄ  ＴｉｍｉｎｇにノートＰＣ４のパネル解像度（１３６６×７６８）が記載されたＥＤＩＤを生成する。そして、ＤＤＣ対応メモリ１１に、生成されたＥＤＩＤが書き込まれる。これによりＤＤＣ対応メモリ１１には新しいＥＤＩＤが上書きされる。書き込み完了後、ＣＰＵ１４はスイッチ回路１０を制御して、スイッチ回路１０をＤＶＩコネクタ１に切り替える。
【００４８】
ノートＰＣ４は、新しく読み込んだＥＤＩＤに基づいて、１３６６×７６８（アスペクト比１６：９）の出力解像度の映像信号を映像表示装置１００に出力する（図４（ｂ））。すると、映像表示装置１００は、映像信号のアスペクト比を保ったままスケーリング処理を行い、１９２０×１０８０（アスペクト比１６：９）の映像を表示する（図４（ｃ））。
【００４９】
＜効果＞
本実施の形態１における映像表示装置１００は、外部機器（例えばノートＰＣ４）から送信される映像信号を表示する映像表示装置１００であって、外部機器（例えばノートＰＣ４）から送信される映像信号の解像度に関する情報の設定を行うユーザーインターフェース処理部１２と、設定された情報に基づいてＥＤＩＤを生成するＥＤＩＤ生成部１３と、生成されたＥＤＩＤを記憶する記憶部（即ちＤＤＣ対応メモリ１１）と、外部機器から送信される映像信号を受信する外部接続用端子（例えばＤＶＩコネクタ１）と、を備え、記憶部（即ちＤＤＣ対応メモリ１１）に記憶されたＥＤＩＤは、外部接続用端子（例えばＤＶＩコネクタ１）を通じて外部機器に送信されることを特徴とする。
【００５０】
従って、本実施の形態１の映像表示装置１００によれば、使用者はＵＩ処理部１２を介してＥＤＩＤに関する情報を設定可能である。そして、設定された情報に基づいて、ＥＤＩＤ生成部１３においてＥＤＩＤが生成される。つまり、前提技術のように、ＥＥＰＲＯＭに複数のＥＤＩＤを予め記憶しておき、その中からＥＤＩＤを選択する構成と比較して、本実施の形態１では、ＥＤＩＤの設定の自由度が向上する。よって、使用者は所望の解像度および所望のアスペクト比の映像を映像表示装置に、より確実に表示することが可能となり利便性が向上する。また、本実施の形態１においては、使用者がＥＤＩＤを直接編集するのではなく、設定された情報に基づいて、ＥＤＩＤ生成部１３がＥＤＩＤを生成する。よって、使用者は、専門知識が無くても容易にＥＤＩＤを変更することが可能である。
【００５１】
また、本実施の形態１における映像表示装置１００は、制御部（即ちＣＰＵ１４）と、外部接続用端子（例えばＤＶＩコネクタ１）とＥＤＩＤ生成部１３のいずれか一方を選択して記憶部（即ちＤＤＣ対応メモリ１１）と接続するスイッチ回路１０と、をさらに備え、制御部（即ちＣＰＵ１４）は、記憶部（即ちＤＤＣ対応メモリ１１）にＥＤＩＤを書き込む際に、スイッチ回路１０にＥＤＩＤ生成部１３を選択させることを特徴とする。
【００５２】
従って、本実施の形態１では、ＤＤＣ対応メモリ１１にＥＤＩＤを書き込む際に、ＣＰＵ１４は、スイッチ回路１０をＤＶＩコネクタ１から切り離して、ＥＤＩＤ生成部１３を選択させる。これにより、ＤＤＣ対応メモリ１１にＥＤＩＤが書き込まれる際に、ＤＶＩコネクタ１を介して外部から入力されるデータと、ＥＤＩＤ生成部１３にて生成されたデータとが競合することを防止することが可能である。よって、ＥＤＩＤ生成部１３で生成されたＥＤＩＤをＤＤＣ対応メモリ１１に、より確実に書き込むことが可能である。
【００５３】
また、本実施の形態１における映像表示装置１００のユーザーインターフェース処理部１２において行われる設定は、映像表示装置１００のパネル解像度を外部機器（例えばノートＰＣ４）のパネル解像度よりも優先して出力解像度とする設定と、外部機器のパネル解像度を映像表示装置１００のパネル解像度よりも優先して出力解像度とする設定と、特定の解像度のみを出力解像度とする設定と、任意の解像度を出力解像度とする設定と、を含む複数から選択される。
【００５４】
従って、本実施の形態１において、使用者は、ＵＩ処理部１２において、映像表示装置１００と外部機器（例えばノートＰＣ４）のどちらのパネル解像度を優先して出力解像度とするか設定可能である。よって、使用者は、外部機器の映像と映像表示装置１００の映像とで、映像のアスペクト比が変わってしまう状況を回避することが可能である。
【００５５】
また、本実施の形態１において、使用者は、ＵＩ処理部１２において、特定の解像度のみを出力解像度とする設定が可能である。この設定を行うことにより、様々なパネル解像度の外部機器が映像表示装置１００に接続されるような使用環境が想定される場合においても、映像表示装置１００には、常に特定の解像度の映像信号が入力される。よって、システム管理者の負荷を軽減することが可能である。
【００５６】
一般に、外部機器（例えばノートＰＣ４）側において、外部機器によってＥＤＩＤの解釈が異なる場合がある。このため、例えば、ＵＩ処理部１２において、「外部機器のパネル解像度を映像表示装置１００のパネル解像度よりも優先して出力解像度とする設定」を選択しても、外部機器によっては、この設定が反映されない場合がある。この場合は、ＵＩ処理部１２において「任意の解像度を出力解像度とする設定」を選択して、外部機器のパネル解像度を使用者が指定することにより、外部機器に対して、確実にＥＤＩＤの設定を反映させることが可能である。
【００５７】
＜実施の形態２＞
＜構成＞
図５は本実施の形態２における映像表示装置２００の主要な機能を示すブロック図である。映像表示装置２００の外部接続用端子（即ちＤＶＩコネクタ１）は、映像表示装置１００（図１）に対して、５Ｖ端子１ｂとホットプラグ検出端子１ｃとをさらに備える。また、映像表示装置２００は、映像表示装置１００に対して、ホットプラグ用スイッチ回路１５をさらに備える。その他の構成は実施の形態１（図１）と同じため説明を省略する。
【００５８】
＜動作＞
本実施の形態２においては、ＤＤＣ対応メモリ１１にＥＤＩＤを書き込む際に、ホットプラグ検出端子１ｃの信号の制御を行う。
【００５９】
ＣＰＵ１４は、ＤＤＣ対応メモリ１１にＥＤＩＤが書き込まれる前に、ホットプラグ検出端子１ｃに入力される信号をハイからローに切り替える。
【００６０】
具体的には、ＵＩ処理部１２において、外部機器（例えばノートＰＣ４）が出力する映像信号の出力解像度を規定する情報の設定が行われると、ＣＰＵ１４は、ホットプラグ用スイッチ回路１５を制御して、ホットプラグ検出端子１ｃと５Ｖ端子１ｂとの接続を切り離す。これにより、ホットプラグ検出端子１ｃに入力される信号がハイからローに切り替わる。この後、ＣＰＵ１４はスイッチ回路１０を制御して、スイッチ回路１０をＥＤＩＤ生成部１３に切り替えて、ＤＤＣ対応メモリ１１に、ＥＤＩＤ生成部１３において生成されたＥＤＩＤを書き込む。
【００６１】
そして、ＤＤＣ対応メモリ１１にＥＤＩＤが書き込まれた後、スイッチ回路１０がＤＶＩコネクタ１を選択した後に、ＣＰＵ１４は、ホットプラグ検出端子１ｃに入力される信号をローからハイに切り替える。
【００６２】
具体的には、ＤＤＣ対応メモリ１１にＥＤＩＤの書き込みが完了した後、まず、ＣＰＵ１４は、スイッチ回路１０を制御して、スイッチ回路１０をＤＶＩコネクタ１側に切り替える。つまり、ＤＤＣ対応メモリ１１とＤＶＩコネクタ１とを接続する。その後に、ＣＰＵ１４は、ホットプラグ用スイッチ回路１５を制御して、ホットプラグ検出端子１ｃと５Ｖ端子１ｂとを接続する。これにより、ホットプラグ検出端子１ｃに入力される信号がローからハイに切り替わる。
【００６３】
以上の動作により、ＤＤＣ対応メモリ１１にＥＤＩＤを書き込んだ後、ノートＰＣ４を再起動することなく、ノートＰＣ４にＥＤＩＤの再読み込みを促すことが可能となる。その他の動作は実施の形態１と同じため、説明を省略する。
【００６４】
＜効果＞
本実施の形態２に記載の映像表示装置１００において、外部接続用端子（例えばＤＶＩコネクタ１）は、ホットプラグ検出端子１ｃを備え、制御部（即ちＣＰＵ１４）は、記憶部（即ちＤＤＣ対応メモリ１１）にＥＤＩＤが書き込まれる前に、ホットプラグ検出端子１ｃに入力される信号をハイからローに切り替え、記憶部（即ちＤＤＣ対応メモリ１１）にＥＤＩＤが書き込まれた後でかつ、スイッチ回路１０が外部接続用端子（例えばＤＶＩコネクタ１）を選択した後に、ホットプラグ検出端子１ｃに入力される信号をローからハイに切り替える。
【００６５】
従って、ＥＤＩＤ書き込みの前後において、ホットプラグ検出端子１ｃに入力される信号を切り替えることによって、外部機器（例えばノートＰＣ４）は、映像表示装置１００から一時的に切り離されたと認識する。つまり、外部機器（例えばノートＰＣ４）は、ＥＤＩＤ書き込み後に、自動的にＥＤＩＤの再読み込みを行う。つまり、ＥＤＩＤ書き込みの前後において、ホットプラグ検出端子１ｃに入力される信号を切り替えることによって、外部機器を映像表示装置２００に接続したままであっても、外部機器を再起動することなく、新たに書き込まれたＥＤＩＤを読み込ませることが可能となる。よって、ＥＤＩＤの設定を、確実に外部機器に読み込ませることが可能となる。また、使用者はＥＤＩＤの設定を行うたびに外部機器を再起動する必要がないため、利便性が向上する。
【００６６】
なお、本発明は、その発明の範囲内において、各実施の形態を自由に組み合わせたり、各実施の形態を適宜、変形、省略することが可能である。
【符号の説明】
【００６７】
１  ＤＶＩコネクタ、１ａ  ＤＤＣ用端子、１ｂ  ５Ｖ端子、１ｃ  ホットプラグ検出端子、３  ＤＶＩケーブル、４  ノートＰＣ、１０  スイッチ回路、１１  ＤＤＣ対応メモリ、１２  ユーザーインターフェース処理部、１３  ＥＤＩＤ生成部、１４  ＣＰＵ、１５  ホットプラグ用スイッチ回路、１６  ＥＥＰＲＯＭ、５０，１００，２００  映像表示装置。
【図１】
2015165617.tif 000003
【図２】
2015165617.tif 000004
【図３】
2015165617.tif 000005
【図４】
2015165617.tif 000006
【図５】
2015165617.tif 000007
【図６】
2015165617.tif 000008
【図７】
2015165617.tif 000009